(57)【特許請求の範囲】
【請求項１】
一つ以上の第一の無線通信端末と、前記第一の無線通信端末と無線通信を行う第一の基地局とを有する第一のローカル無線交換網と、
一つ以上の第二の無線通信端末と、前記第二の無線通信端末と無線通信を行う第二の基地局とを有する第二のローカル無線交換網とから少なくともなり、
前記第一の基地局と前記第二の基地局とがネットワークによって接続され、前記第一の無線通信端末と前記第二の無線通信端末との間で通話及び／またはデータ通信を行うネットワーク交換システムにおいて、
前記第一の基地局は、前記第一の無線通信端末に通話及び／またはデータ通信を行うための通話先を指定するインデックス画面を構成するファイルが記憶される記憶手段を備えると共に、前記第二の無線通信端末からのインデックスファイル転送要求を受けて前記インデックス画面を構成するファイルを前記第二の無線通信端末に対して送信し、
前記第二の無線通信端末は、前記第二の基地局を介して前記インデックス画面を構成するファイルを受信して、前記インデックス画面を表示し、
前記第二の無線通信端末に表示された前記インデックス画面を用いて選択された前記第一の無線通信端末と、前記第二の無線通信端末との間で通話及び／又はデータ通信を確立するネットワーク交換システムであり、
前記第一の基地局は、前記インデックス画面を構成するファイルを送信する際に、送信先の第二の無線通信端末との間で認証を行うことで情報開示レベルを判断し、前記インデックス画面を構成するファイルとして複数用意されているファイルから、前記情報開示レベルに応じて一つのファイルを選択し、その選択したファイルを前記インデックス画面を構成するファイルとして送信することを特徴とするネットワーク交換システム。
【発明の詳細な説明】
【０００１】
【発明の属する技術分野】
本発明は、無線ＬＡＮやブルートゥース（Ｂｌｕｅｔｏｏｔｈ）、及びＰＨＳプロトコル等の小電力無線通信手段により、通信端末と基地局とにより構築されたローカル無線交換網を無線ネットワークによって接続するネットワーク交換システムに関する。
【０００２】
【従来の技術】
一般的な方式の構内交換網（ＰＢＸシステム）は、構内交換機を中心に内線電話網を引き、その内線電話網の先に１台づつ内線電話機を設置することで構築されている。一方、近年ではＩＰネットワークを利用し、パケット化した音声の伝送によって通話を行う、いわゆるＶｏＩＰ（Voice Over IP）を応用して構内交換網を構築するシステムも普及し始めている。このＶｏＩＰを応用した構内交換網によれば、企業内に既設のＬＡＮを利用するため、内線電話ケーブルの設置コストを削減することができると共に、インターネットなどのＩＰネットワークを経由するため、外部への通話コストが基本的に無料になる等のメリットがある。
【０００３】
また、ローカル無線交換網は、無線又は有線の通信手段により配下の内線通信端末とのリンクを制御する、無線ネットワークの基地局機能及び構内交換機としての機能を有したローカル無線交換網基地局を中心に構築した小規模な構内交換網であり、基幹網にＩＰネットワークを繋ぎ、独自プロトコルやＨ．３２３などの標準プロトコルを採用することで、外線との接続にＶｏＩＰを利用することを特徴としている。このローカル無線交換網を利用すれば、各家庭や大小オフィス等へ、無線による手軽な内線接続と、ＶｏＩＰによる通信コストが著しく改善された外線接続とを可能にしたサービスを容易に展開することができる。
【０００４】
このことは、近年、家庭やオフィスへ安価な定額料金で常時接続型のインターネット接続が広く普及しており、大幅な通信コスト削減が可能になりつつあること、また前記インターネット接続もブロードバンド化し、ＶｏＩＰを行うために必要な帯域の確保が容易になりつつあることも普及の追い風となっている。また、ローカル無線交換網を応用することで、企業等では全社的な大規模構内交換網を構築することも可能である。
【０００５】
前述したように、ローカル無線交換網はＩＰネットワークを基幹網としているため、既設の社内ＬＡＮを応用すれば、旧来の構内交換網のような企業内における全社規模のケーブル配線による電話網を構築する必要がなく、各グループや各部署毎のマイクロエリアに細分化した最小単位としてローカル無線交換網を独立して構築し、その集合体として全社のマクロ交換網を構築することができる。これには、ＩＰネットワーク（インターネット）を介して接続されたローカル無線交換網を最小単位として、基地局に１つ以上の代表電話番号を割り当て、この代表電話番号とＩＰネットワーク上の各端末に割り当てられるＩＰアドレスとの関連付けを管理する制御サーバーを設けることで、大規模なシステムへの拡張を可能にしている。
【０００６】
また、このようにＩＰネットワーク上に散らばった各グループのローカル無線交換網間は、それぞれのグループを認証するプロトコル手段を用いることでセキュリティを確保できる。同様に、前述のローカル無線交換網による全社構内交換網の構築以外にも、家庭や大小オフィスに構築されたローカル無線交換網間をＩＰネットワークであるインターネットにより繋ぎ、より大規模でグローバルなネットワーク交換システムを構築することも可能である。
【０００７】
【発明が解決しようとする課題】
このようなローカル無線交換網をＩＰネットワークへ複数接続することで構築したネットワーク交換システムにおいて、ローカル無線交換網の外部からローカル無線交換網内部の無線電話機や通信機器（以降、これらの総称を通信端末とする）への発呼は、ローカル無線交換網内の無線区間が無線ＬＡＮなどＩＰネットワークをベースにしている場合に限り、内線の通信端末へＩＰアドレスと電話番号を割り当てることができるため、制御サーバーの管理下に収まることで電話番号による直接発呼が可能であった。
【０００９】
また、ローカル無線交換網の無線区間は、必ずしも無線ＬＡＮとは限らず、ブルートゥースやＰＨＳプロトコル、コードレス電話接続を採用する場合も多く、ローカル無線交換網の配下の通信端末は制御サーバーの管理下に入らず、内線の電話番号体系を採用するのが一般的であるという問題があった。
【００１０】
更に、仮に内線番号が既知であるならば、内線の通信端末に割り当てられた内線番号をローカル無線交換網基地局の代表電話番号へ繋げて発呼するサブアドレス方式により発呼することが可能であるが、企業においては社外秘の問題があり、家庭においてはプライバシーの問題があるため、内線の電話番号まで公にしない場合が多かった。このため、外部からローカル無線交換網内の内線通信端末へ発呼する場合は、代表電話番号宛てに行われることが通常であり、ローカル無線交換網内で優先着呼に設定した内線の通信端末へ着呼してオペレータが応答し、転送などのマニュアル操作により目的のユーザまで取り次いでいた。しかしながら、オペレータによる取次ぎは、専任のオペレータを雇うと人件費がかかってしまうという問題があり、かといって企業等において多く見られるように各部署における電話を取り次ぐオペレータが専任ではなく社員がオペレータを兼任すると、本来の業務への支障が発生するという問題があった。
【００１１】
上記の課題を解決するために、本発明ではローカル無線交換網基地局へ、例えばＨＴＭＬ言語やＣｏｍｐａｃｔ−ＨＴＭＬ言語、あるいはＪａｖａ（登録商標）言語等で記述されたインデックス画面を設定しておき、主に外部からローカル無線交換網へ着呼した場合に、オペレータが応答する代わりに、前記インデックス画面を構成するファイルを発呼元の通信端末へ送信し、発呼元の通信端末のブラウザ機能がこれを表示することで、オペレータの応答に代わる代表電話の応答とすることを目的とする。
【００１２】
また、発呼元の通信端末のユーザ自身が、前記のインデックス画面から、通話又は通信を希望する、内線の通信端末を示す項目を選択することで、その選択結果を受けた着呼側のローカル無線交換網が、預かっていた呼を目的の通信端末へ自動転送することによりオペレータのマニュアル転送に代わる自動転送とすることを目的とする。
【００１３】
なお、前記インデックス画面はサービス内容により、ローカル無線交換網内の通信端末から発呼する場合にも、着呼先である外部の通信端末へ転送される。
【００１４】
【課題を解決するための手段】
上述した課題を解決するために本発明は、下記のシステムを提供するものである。
一つ以上の第一の無線通信端末と、前記第一の無線通信端末と無線通信を行う第一の基地局とを有する第一のローカル無線交換網と、
一つ以上の第二の無線通信端末と、前記第二の無線通信端末と無線通信を行う第二の基地局とを有する第二のローカル無線交換網とから少なくともなり、
前記第一の基地局と前記第二の基地局とがネットワークによって接続され、前記第一の無線通信端末と前記第二の無線通信端末との間で通話及び／またはデータ通信を行うネットワーク交換システムにおいて、
前記第一の基地局は、前記第一の無線通信端末に通話及び／またはデータ通信を行うための通話先を指定するインデックス画面を構成するファイルが記憶される記憶手段を備えると共に、前記第二の無線通信端末からのインデックスファイル転送要求を受けて前記インデックス画面を構成するファイルを前記第二の無線通信端末に対して送信し、
前記第二の無線通信端末は、前記第二の基地局を介して前記インデックス画面を構成するファイルを受信して、前記インデックス画面を表示し、
前記第二の無線通信端末に表示された前記インデックス画面を用いて選択された前記第一の無線通信端末と、前記第二の無線通信端末との間で通話及び／又はデータ通信を確立するネットワーク交換システムであり、
前記第一の基地局は、前記インデックス画面を構成するファイルを送信する際に、送信先の第二の無線通信端末との間で認証を行うことで情報開示レベルを判断し、前記インデックス画面を構成するファイルとして複数用意されているファイルから、前記情報開示レベルに応じて一つのファイルを選択し、その選択したファイルを前記インデックス画面を構成するファイルとして送信することを特徴とするネットワーク交換システム。
【００２２】
【発明の実施の形態】
以下、図面を参照して本発明に係るネットワーク交換システムについて説明する。図１は、本発明に係るネットワーク交換システムのモデルを示す構成図である。
【００２３】
第一のローカル無線交換網１及び第二のローカル無線交換網１０は、無線ＬＡＮやブルートゥース、ＰＨＳプロトコル等の小電力無線通信手段により、その電波到達範囲規模のエリア内で構築された小規模の構内交換網である。第一のローカル無線交換網１の基地局である第一のローカル無線交換網基地局２、及び第二のローカル無線交換網１０の基地局である第二のローカル無線交換網基地局９は、前記小電力無線通信手段の基地局として機能する他、構内交換網の交換機としてそれぞれのローカル無線交換網１，１０に属する内線通信端末の回線交換及び外線への接続を管理制御している。
【００２４】
また、図示していないが、ローカル無線交換網基地局はマスター基地局の他にスレーブ基地局として複数台設置することで、基地局間のハンドオーバーをサポートし、内線の通信端末数の増加とカバーするエリア拡大に対応することも可能である。
【００２５】
第一のローカル無線交換網１は、第一のローカル無線交換網基地局２を無線区間の親機として、無線電話機３、無線電話機４、無線電話機５及び無線ネットワークカメラ６を無線区間の子機として構築されている。
【００２６】
第二のローカル無線交換網１０は、第二のローカル無線交換網基地局９を無線区間の親機として、無線電話機１１、無線電話機１２、及びパーソナルコンピュータ１３を無線区間の子機とし、さらに有線固定電話機１４を有線により接続して構築されている。
【００２７】
また、無線電話機３はユーザ２０が、無線電話機５はユーザ２２が、無線電話機１１はユーザ２１がそれぞれ保有しており、無線ネットワークカメラ６は製品サンプル２３を画像として捉えている。
【００２８】
更に、第一のローカル無線交換網基地局２と第二のローカル無線交換網基地局９間は、インターネットであるＩＰネットワーク７を介して接続されており、ＩＰネットワーク７へ接続した制御サーバー８の管理制御により、広域のネットワーク交換システムへと拡張されている。
【００２９】
ネットワーク交換システムでは、ＩＰアドレスと１対１の関係にある独自の電話番号体系を有しており、管理下にある第一のローカル無線交換網基地局２、及び第二のローカル無線交換網基地局９へは１つ以上の代表電話番号が割り当てられている。一方、それぞれのローカル無線交換網１，１０に属している内線通信端末には、それぞれのローカル無線交換網内で独自に採番した内線番号が割り当てられている。
【００３０】
制御サーバー８は、前記の電話番号体系を維持するため、それぞれのローカル無線交換網基地局２、９の代表電話番号と、ＩＰアドレスとの対応を管理したアドレスリスト（図２）を記憶している。
【００３１】
また、制御サーバー８は、ネットワーク交換システム内の交換機として回線交換制御を行うことも可能であるが、本実施例では基幹網にＩＰネットワークを利用しているため、２つのローカル無線交換網基地局２，９間のリンク制御及びパケット通信は、ＴＣＰ／ＩＰ、又はＵＤＰ／ＩＰプロトコルを用いて、両者間で直接行うこととしている。なお、このことは、制御サーバー８の処理負荷を軽減する効果もある。
【００３２】
以下に、図１及び図５、図６のシーケンス図を用い、第二のローカル無線交換網１０内の無線電話機１１が発呼し、第一のローカル無線交換網１内の無線電話機３が着呼するまでの接続動作を通して、本発明によるシーケンスを説明する。
【００３３】
無線電話機１１のユーザ２１が、ユーザ２０に用件があり、発呼しようとしたとき、ユーザ２０が使用する無線電話機３の内線電話番号が未知であれば、ユーザ２１は、第一のローカル無線交換網基地局２へ割り当てられたネットワーク交換システムの代表電話番号により発呼を開始する。
【００３４】
図５のシーケンス図において、前記無線電話機１１は、第一のローカル無線交換網基地局２の代表電話番号を着アドレスとして含む呼制御要求１００を第二のローカル無線交換網１０の無線通信手段（図示せず）により送出する。
【００３５】
そして第二のローカル無線交換網基地局９が前述した呼制御要求１００を受信すると、呼制御要求１００の着アドレスである前記代表電話番号から、内線判定手段１５０において第二のローカル無線交換網管理リスト（図示せず）を検索し、前記着アドレスである代表電話番号が登録されているか否かを判定する。なお、前記第二のローカル無線交換網管理リストは、第二のローカル無線交換網１０の配下にある無線電話機等の通信端末へ割当てた内線番号を記述してあるリストファイルであり、前記第二のローカル無線交換網基地局９が有している。
【００３６】
また、前記内線判定手段１５０では、前記第二のローカル無線交換網管理ファイルに登録されている場合に、第二のローカル無線交換網１０内への呼制御（図示せず）を行なう。前記内線番号管理リストへの登録が無い場合は、第二のローカル無線交換網１０内への発呼ではないと判定する。
【００３７】
一方、第二のローカル無線交換網基地局９は、前記第二のローカル無線交換網１０外への発呼と判定すると、既知である制御サーバー８に対して、呼制御要求１００の着アドレスとして設定されている代表電話番号を付加情報要素とするＩＰパケット化された番号照会依頼１０１を送出する。なお、前記制御サーバー８は、ＩＰネットワーク網７上の各ローカル無線交換網基地局２，９を管理しているものである。また、前記第二のローカル無線交換網基地局９においては、前記制御サーバー８のＩＰネットワーク網７上のＩＰアドレスを既知のものであるとする。
【００３８】
前記制御サーバー８が前記番号照会依頼１０１を受信すると、記録手段（図示せず）により管理している図２に示すアドレスリストを参照し、前記番号照会依頼１０１により受けた第一のローカル無線交換網基地局２の代表電話番号からＩＰアドレスを検索する。なお、図２に示すアドレスリストは、ＩＰネットワーク網７上の各ローカル無線交換網基地局２，９に対して独自の番号体系を有し、発呼者であるユーザーが使用する無線電話機等の通信端末が所属するローカル無線交換網基地局のローカル無線交換網基地局電話番号５１と前記ローカル無線交換網基地局が接続されるＩＰネットワーク網７上の各ローカル無線交換網基地局ＩＰアドレス５２との関連付けを記録したものである。
【００３９】
そして、前記制御サーバー８は、該当するＩＰアドレスを図２に示すアドレスリストから取得し、第一のローカル無線交換網基地局２のＩＰアドレスを情報要素とする照会通知１０２を依頼元である第二のローカル無線交換網基地局９へ送出する。
【００４０】
次に、第二のローカル無線交換網基地局９が照会通知１０２を受信すると、前記第二のローカル無線交換網基地局９は、前記照会通知１０２の付加情報であるＩＰアドレスを、第一のローカル無線交換網基地局２のＩＰアドレスとして取得する。
【００４１】
また、第二のローカル無線交換網基地局９は、取得したＩＰアドレスを使用して、呼制御要求１００をＩＰパケット化した呼制御要求１０３を生成し、ＩＰネットワーク網７上の第一のローカル無線交換網基地局２へ前記呼制御要求１０３を送出する。なお、特に図示しないが、ＩＰネットワーク網７における呼制御方法及び通話方法については、例えば、Ｈ．３２３プロトコルを用いても良い。
【００４２】
次に、第一のローカル無線交換網基地局２が呼制御要求１０３を受信すると、前記呼制御要求１０３の情報要素の着アドレスである代表電話番号から、内線判定手段１５１において、第一のローカル無線交換網管理リスト（図示せず）を検索し、前記着アドレスである代表電話番号が登録されているか否かを確認する。
【００４３】
また、前記内線判定手段１５１では、前記第一のローカル無線交換網管理リスト（図示せず）より前記呼制御要求１０３の情報要素である着アドレスである代表電話番号を検索し、前記代表電話番号が登録されていれば、前記第一のローカル無線交換網１内への着呼と判定する。
【００４４】
一方、前記第一のローカル無線交換網基地局２が第一のローカル無線交換網１内への着呼と判定すると、前記第一のローカル無線交換網管理リスト（図示せず）により前記第一のローカル無線交換網１内での代表電話番号に対する優先内線番号として登録してある無線電話機５へ呼出１０４を送出する。また、第一のローカル無線交換網基地局２は、第二のローカル無線交換網基地局９に対して呼出中１０５を送出する。なお、前記第一のローカル無線交換網管理リスト（図示せず）とは、第一のローカル無線交換網１内の電話機等の内線番号を記述したリストファイルであり、かつ代表電話番号のリスト部分には、関連付けた優先着呼させる無線電話機の内線番号を記述してある。
【００４５】
また、第二のローカル無線交換網基地局９は、呼出中１０５を受信すると、第二のローカル無線交換網１０内の無線通信手段により無線電話機１１に向けて呼出中１０６を送出する。前記無線電話機１１は、呼出中１０６を受信するとリングバックトーンの鳴動等の呼出中通知手段１５３により、ユーザー２１に対して呼出中であることを知らせる。
【００４６】
次に、無線電話機５は、第一のローカル無線交換網１内の無線通信手段により呼出中１０４を受信すると、リンガー等の呼出通知手段１５２によりオペレータであるユーザー２２へ通知する。ユーザー２２は、無線電話機５の呼出通知手段１５２からの通知を受けて、前記無線電話機５の通話ボタン押下等の着呼操作により着呼を受け付ける。そして、前記無線電話機５は、ユーザー２２の着呼操作により、第一のローカル無線交換網基地局２に対して接続１０７を送出する。
【００４７】
この接続１０７を受信した第一のローカル無線交換網基地局２は、第二のローカル無線交換網基地局９に対して接続１０７をＩＰパケット化した接続１０８を送出する。そして、第二のローカル無線交換網基地局９が接続１０８を受信すると、無線電話機１１に対して、第二のローカル無線交換網１０内の無線通信手段により接続１０９を送出する。
【００４８】
以上により呼制御シーケンスが完了し、無線電話機１１と無線電話機５の間には、通話呼１７０が確立し、ユーザー２１とユーザー２２間での通話が可能な状態となる。
【００４９】
これより、シーケンス図は、図６による説明とする。ユーザー２１は、前記通話呼１７０の確立後に、オペレータであるユーザー２２に対して、同じ第一のローカル無線交換網１内のユーザー２０への取次ぎを依頼する。無線電話機５のユーザー２２は、ユーザー２０の使用する無線電話機３への転送操作を行うと、前記無線電話機５が第一のローカル無線交換網基地局２へ向けて転送１１０を送出する。
【００５０】
第一のローカル無線交換網基地局２は、第一のローカル無線交換網１内の無線通信手段にて転送１１０を受信すると、保留手段１５４により呼を預かり、無線電話機１１と無線電話機５間の通話呼１７０を、無線電話機１１と第一のローカル無線交換網基地局２間の預かり呼として通話呼１７１へ切り替える。また、前記通話呼１７１では、第一のローカル無線交換網基地局２から保留音データが無線電話機１１へ送出される。
【００５１】
次にユーザー２２は、無線電話機５へ転送先の無線電話機３の内線番号入力を行う。この入力後に、無線電話機５の通話ボタン押下等の発呼操作により前記無線電話機５は、無線電話機３の内線番号が着アドレスである情報要素とする呼制御要求１１１を、第一のローカル無線交換網基地局２へ送出する。
【００５２】
そして、第一のローカル無線交換網基地局２は、前記呼制御要求１１１を受信すると、前記第一のローカル無線交換網管理ファイル（図示せず）により、前記着アドレスから内線判定手段１５５において、前記第一のローカル無線交換網管理ファイル（図示せず）より前記情報要素である無線電話機３の内線番号の検索を行い、登録の有無を判定し、登録有りと判定すると、無線電話機３へ呼出１１２を送出する。
【００５３】
前記内線判定手段１５５は、前記第一のローカル無線交換網管理リスト（図示せず）から、前記呼制御要求１１１の情報要素の着アドレスである内線番号を検索し、第一のローカル無線交換網１内の登録有無を判定するものである。
【００５４】
無線電話機３が第一のローカル無線交換網基地局２から呼出１１２を受信すると、リンガー等の呼出通知手段１５６によりユーザー２０へ通知する。
【００５５】
また、第一のローカル無線交換網基地局２は、無線電話機５に対して、呼出中１１３を送出する。前記呼出中１１３を受信した無線電話機５は、リングバックトーンの鳴動等の呼出中通知手段１５７によりユーザー２２に対して呼出中であることを通知する。
【００５６】
ユーザー２０は、無線電話機３の通話ボタンの押下等により着呼を受け付けると、前記無線電話機３は、第一のローカル無線交換網基地局２へ接続１１４を送出する。また、接続１１４を受信した第一のローカル無線交換網基地局２は、無線電話機５へ接続１１５を送出する。このシーケンスにより、無線電話機５と無線電話機３の通話呼１７２が確立する。
【００５７】
前記通話呼１７２を使用して、無線電話機５のオペレータであるユーザー２２は、無線電話機３のユーザー２０へユーザー２１からの着呼の旨を通知する。また、通知後には、ユーザー２２は、無線電話機５の切断ボタン押下等の通話終了操作により通話を終了する。前記無線電話機５の通話終了操作により、第一のローカル無線交換網基地局２へ切断１１６を送出する。前記切断１１６を受信した第一のローカル無線交換網基地局２は、保留手段１５４により預かり呼とした通話呼１７１を無線電話機３までの通話呼として設定し、無線電話機１１と無線電話機３との間に通話呼１７１を含む通話呼１７３を確立する。これにより、無線電話機１１を使用するユーザー２１と無線電話機３を使用するユーザー２０は、通話を行なうことができる。
【００５８】
次に、第二実施例として、本発明によるネットワーク交換システムの動作を、図１及び図７を用いて説明する。第一実施例と同様に、無線電話機１１のユーザ２１は、ユーザ２０が使用する無線電話機３の内線電話番号が未知であって、ユーザ２１が第一のローカル無線交換網基地局２へ割り当てられたネットワーク交換システムの代表電話番号により発呼を開始したとする。
【００５９】
図７のシーケンス図において、前記無線電話機１１は、第一のローカル無線交換網基地局２の代表電話番号を着アドレスとして含む呼制御要求２００を、第二のローカル無線交換網１０の無線通信手段（図示せず）により送出する。
【００６０】
第二のローカル無線交換網基地局９は、呼制御要求２００を受信すると、前記呼制御要求２００の着アドレスである前記代表電話番号から、内線判定手段２５０において第二のローカル無線交換網管理リスト（図示せず）を検索し、前記着アドレスである代表電話番号が登録されているか否かを判定する。なお、前記第二のローカル無線交換網管理リストは、第二のローカル無線交換網１０配下の無線電話機等の通信端末へ割当てた内線番号を記述してあるリストファイルであり、前記第二のローカル無線交換網基地局９が有している。
【００６１】
前記内線判定手段２５０では、前記第二のローカル無線交換網管理ファイルに登録されている場合に、第二のローカル無線交換網１０内への呼制御（図示せず）を行なう。前記内線番号管理リストへの登録が無い場合は、第二のローカル無線交換網１０内への発呼でないと判定する。
【００６２】
第二のローカル無線交換網基地局９は、前記第二のローカル無線交換網１０外への発呼と判定すると、既知である制御サーバー８に対して、呼制御要求２００の着アドレスとして設定されている代表電話番号を付加情報要素とするＩＰパケット化された番号照会依頼２０１を送出する。
【００６３】
前記制御サーバー８は、ＩＰネットワーク網７上の各ローカル無線交換網基地局を管理しているものである。
【００６４】
また、前記第二のローカル無線交換網基地局９においては、前記制御サーバー８のＩＰネットワーク網７上のＩＰアドレスを既知のものとする。前記制御サーバー８は、前記番号照会依頼２０１を受信すると、記録手段（図示せず）により管理している図２のアドレスリストを参照し、前記番号照会依頼２０１により受けた第一のローカル無線交換網基地局２の代表電話番号からＩＰアドレスを検索する。なお、前記アドレスリストは、ＩＰネットワーク網７上の各ローカル無線交換網基地局に対して独自の番号体系を有し、発呼者であるユーザーが使用する無線電話機等の通信端末が所属するローカル無線交換網基地局のローカル無線交換網基地局電話番号５１と前記ローカル無線交換網基地局が接続されているＩＰネットワーク網７上の各ローカル無線交換網基地局ＩＰアドレス５２との関連付けを記録したものである。
【００６５】
前記制御サーバー８は、該当するＩＰアドレスを、図２のアドレスリストから取得すると、第一のローカル無線交換網基地局２のＩＰアドレスを情報要素とする照会通知２０２を依頼元である第二のローカル無線交換網基地局９へ送出する。
【００６６】
次に、第二のローカル無線交換網基地局９が制御サーバー８からの照会通知２０２を受信すると、前記第二のローカル無線交換網基地局９は、前記照会通知２０２の付加情報であるＩＰアドレスを第一のローカル無線交換網基地局のＩＰアドレスとして取得する。
【００６７】
第二のローカル無線交換網基地局９は、取得したＩＰアドレスを使用して、ＩＰネットワーク網７上の第一のローカル無線交換網基地局２へ、呼制御要求２００をＩＰパケット化した呼制御要求２０３を送出する。
【００６８】
前記呼制御要求２０３の付加情報要素（図示せず）は、第一にブラウザ対応有無情報、第二に連携通端末設定情報、第三に連携端末の内線電話番号情報、第四にインデックス画面の送信先ＩＰアドレス情報、第五に連携通信端末のブラウザ機能の対応言語情報を含む構成とする。
【００６９】
第一のローカル無線交換網基地局２は、呼制御要求２０３を受信すると、前記呼制御要求２０３の前記付加情報要素（図示せず）より、情報判定手段２５１において、ブラウザ対応有無情報と連携通信端末設定情報により従来無線電話機か否かの判定を行う。
【００７０】
前記情報判定手段２５１は、前記判定結果が、従来無線電話機ならば、前記第一例のシーケンスによる呼制御による通話呼（図５の１７０）を確立し、そうでなければ、ブラウザ対応無線電話機ないし連携端末ありと判定すると、次にブラウザ機能の対応言語情報を判定し、接続２０４を送出する。
【００７１】
第二のローカル無線交換網基地局９は、前記接続２０４を受信すると、第二のローカル無線交換網１０内の無線通信手段により無線電話機１１へ接続２０５を送出し、呼制御シーケンスを完了する。これにより、第一のローカル無線交換網基地局２と無線電話機１１との間には、仮想的な通話呼２７０が確立する。この仮想的な通話呼とは、通話を行なう機器間のコネクションはなされているが実際の音声通話がなされていない通話呼である。
【００７２】
また、前記第一のローカル無線交換網基地局２は、前記第二のローカル無線交換網基地局９に対しては、呼制御シーケンスが完了しているが、前記第一のローカル無線交換網１内においては、呼制御シーケンスを一時中断した状態とする。
【００７３】
次に、無線電話機１１は、接続２０５を受信すると、ブラウザ機能２５２を実行し、既に確立されている前記無線電話機１１と第一のローカル無線交換網基地局２とのコネクション（図示せず）を利用して、ＨＴＴＰプロトコル通信２７１により第一のローカル無線交換網基地局２のＷｅｂサーバー機能２５３に対し、インデックス画面（図３）を構成するファイルの転送要求（図示せず）を行なう。この転送要求（図示せず）を受けた第一のローカル無線交換網基地局２のＷｅｂサーバー機能２５３は、同じくＨＴＴＰプロトコル通信２７１により第一のローカル無線交換網基地局２の記憶手段（図示せず）に準備されているインデックス画面（図３）を、無線電話機１１へ転送する。
【００７４】
なお、第一のローカル無線交換網内１の通信端末へのリンク先が記載された前記インデックス画面は、Ｃｏｍｐａｃｔ−ＨＴＭＬ言語で記述されたファイルやＧＩＦ画像等の画像ファイルから構成されており、そのリンク先は、「http://192.168.30.100/2000」のようにＩＰアドレス（192.168.30.100）と実際の内線電話番号とは異なる識別番号（2000）で記述されている。
【００７５】
このようにして、前記第一のローカル無線交換網基地局２から無線電話機１１へ前記インデックス画面（図３）がファイルとして転送される。また、無線電話機１１は第一のローカル無線交換網基地局２から受信したインデックス画面を構成するファイルを、ブラウザ機能２５２により再構築し（図３）自機の液晶画面に表示する。すなわち、プロトコルやネットワークを意識せずにサービスを利用している無線電話機１１のユーザ２１にしてみれば、発呼先の第一のローカル無線交換網基地局２があたかも自動応答したかのようにインデックス画面（図３）が無線電話機１１の画面に表示され、ユーザ２１による第一のローカル無線交換網に属する通信端末へのリンク先の選択を待つ状態となる。
【００７６】
図３は、主に固定顧客と取引がある商事会社の営業セクションにおけるインデックス画面の例である。この画面の例では、不特定多数からの電話を着呼するインデックス画面であるため、社外秘にあたる部署内のメンバー氏名等は公開せず、各社の担当表記としてある。なお、図３のインデックス画面のメニューは大きく分けて２つのカテゴリから構成されている。最初のカテゴリは「お電話の転送」６０であり、第一のローカル無線交換網基地局２が応答してインデックス画面を発呼元へ送信した段階で、第一のローカル無線交換網基地局２の預かりになっている無線電話機１１からの呼を転送する内線の無線電話機を選択するため、発呼元の無線電話機１１のユーザ２１がインデックス画面から直接該当項目を選択するためのインタフェースである。次のカテゴリは「各種処理」であり、取引の決済等をセキュリティ手段により保護された環境下で電子決済するメニューである。
【００７７】
「お電話の転送」６０メニューは、内線通信端末への呼の転送先を示した行があり、行の先頭には白丸と黒丸、及び三角の三種類があるインジケータ６２が印されている。このインジケータ６２に黒丸が記された行の転送先は、第一のローカル無線交換網基地局２と、黒丸の行において転送先に設定された通信端末との間で無線区間のリンクが確立されていない状況を示している。すなわち、通信端末の電源が切れている場合や、通信端末が基地局との電波状況が悪い場所、あるいは電波の届かない場所にある場合などが該当し、席を外している場合や不在で電話に出られない状況を表している。インジケータ６２に白丸が記された行の転送先は、該当する通信端末と基地局との電波区間のリンクが確立されており、呼の転送を受け入れられる状況を示している。インジケータ６２に三角が記された行の転送先は、該当する通信端末と基地局との電波区間のリンクは確立されているが、通話中であり呼の転送を受け入れられない状況を示している。
【００７８】
無線電話機１１のユーザ２１が通話を希望する相手が、第一のローカル無線交換網１内のユーザ２０であり、無線電話機３を使用しているとし、さらに図３のインデックス画面において、「お電話の転送」６０における「京浜みなと鋼鈑（株）様ご担当」６３が該当しているとすれば、無線電話機１１のユーザ２１は目的の行へカーソルを合わせ、無線電話機１１上の選択ボタン（図示せず）を押下して選択する。
【００７９】
無線電話機１１と第一のローカル無線交換網基地局２との間は、既にＩＰネットワーク上のコネクションが確立されているため、プロトコル手段（図示せず）により選択した呼の転送先情報は、直ちに第一のローカル無線交換網基地局２へ届く。呼の転送先情報を得た第一のローカル無線交換網基地局２は、基地局預かりとなっている無線電話機１１からの呼を、「京浜みなと鋼鈑（株）様ご担当」であるユーザ２０が使用する無線電話機３へ、ローカル無線交換網１内の無線区間シーケンスにより中継して転送することで通話が可能になる。
【００８０】
以下に、図１及び図７を用いて、無線電話機１１へ表示されたインデックス画面からリンク先が選択され、無線電話機１１と無線電話機３との間で通話呼が確立するまでのシーケンスを説明する。
【００８１】
無線電話機１１は、ブラウザ２５２に表示されたインデックス画面（図３）から、ユーザー２１が無線電話機３を示すリンク先を選択すると、リンク情報としてHTTPプロトコル通信２７１により、第一のローカル無線交換網基地局２のWebサーバー機能２５３へ選択したリンク情報を転送する。第一のローカル無線交換網基地局２のＷｅｂサーバー機能２５３は、ＨＴＴＰプロトコル通信２７１により受信した前記リンク情報を内線番号変換手段２５４に渡す。
【００８２】
また、前記内線番号変換手段２５４は、内線リスト（図示せず）から前記受信したリンク情報に対応する無線電話機３の内線番号を取得し、前記接続２０４及び接続２０５により中断していた呼制御シーケンスを再開する。
【００８３】
更に、第一のローカル無線交換網基地局２は、第一のローカル無線交換網１内の無線通信手段により無線電話機３へ呼出２０６を送出し、第二のローカル無線交換網基地局９に対しても呼出中２０７を送出する。前記無線電話機３は、呼出２０７を受信すると、リンガー等の呼出通知手段２５５によりユーザー２０へ通知する。
【００８４】
第二のローカル無線交換網基地局９は、呼出中２０７を受信すると、第二のローカル無線交換網１０内の無線通信手段により無線電話機１１へ呼出中２０８を送出する。無線電話機１１は、呼出中２０６を受信すると、リングバックトーン等の呼出中通知手段２５６によりユーザー２１へ通知する。
【００８５】
前記無線電話機３の呼出通知手段２５５からの呼出を受けたユーザー２０は、前記無線電話機３の通話ボタンの押下等の着呼操作により着呼を受け付ける。前記無線電話機３は、ユーザー２１の着呼操作により第一のローカル無線交換網基地局２へ接続２０９を送出する。
【００８６】
前記第一のローカル無線交換網基地局２は、前記接続２０９を受信すると第二のローカル無線交換網基地局９へ接続２１０を送出する。
【００８７】
次に、第二のローカル無線交換網基地局９は、前記接続２１０を受信すると、第二のローカル無線交換網１０内の無線通信手段により接続２１１を送出する。
【００８８】
無線電話機１１は、接続２１１を受信すると、前記呼出中通知手段２５６を終了する。また、前記無線電話機１１は、通話呼切替手段２５７により、ＨＴＴＰプロトコル通信２７１を終了し、通話呼２７２を確立する。
【００８９】
このように、ブラウザ対応の無線電話機１１を使用するユーザー２１は、ユーザー２０の代表電話番号のみ知っていれば、ユーザー２０の内線電話番号を知らなくとも、第一のローカル無線交換網１内の代表電話番号のオペレーターであるユーザー２２を介在せずに、無線電話機３を使用するユーザー２０との通話が可能となる。
【００９０】
なお、無線電話機が、前記第一のローカル無線交換網１０及び前記第二のローカル無線交換網１等の無線通信手段において、ＨＴＴＰプロトコル通信２７１と音声通話（仮想的な通話呼２７０及び通話呼２７２）の複数の通信接続（図示せず）が可能であり、かつ２つ以上の通信が同時に使用できるのであれば、前記通話呼切替手段２５７は、特に図７のシーケンスに含まれなくとも良い。
【００９１】
一方、本実施例によれば無線電話機１１が発呼を行い、第一のローカル無線交換網１内の通信端末へ着呼する度に、毎回、インデックス画面のファイルを第二のローカル無線交換網基地局９を介して無線電話機１１へ送信することになるが、これはローカル無線交換網基地局内にキャッシュ機能を設けることで効率化が可能である。
【００９２】
本実施例において、ローカル無線交換網基地局内にインデックス画面を蓄積しておくキャッシュがあるとするならば、第一のローカル無線交換網基地局２は着呼に対して応答すると、インデックス画面のファイルではなく、前記ファイルの更新情報を第二のローカル無線交換網基地局９宛てに送信する。
【００９３】
この第二のローカル無線交換網基地局９では、受信したインデックス画面のファイル更新情報を参照して、キャッシュに蓄積されたインデックス画面のファイルと同じバージョンであることが確認できたならば、第一のローカル無線交換網基地局２からのファイル本体を受信する必要がない旨通知し、第二のローカル無線交換網基地局９内のキャッシュに蓄積されていたインデックス画面を無線電話機１１へ転送すればよい。
【００９４】
この手法によれば、インデックス画面が発呼元の通信端末へ転送されるまでの時間を短縮でき、さらにＩＰネットワーク上のトラフィックを軽減する効果がある。
【００９５】
次に、第三実施例として、前述した第二実施例において、図３を例に示した社外からの着呼に対し、社内ネットワークから着呼した例を説明する。図３に例示したインデックス画面は、社外から第一のローカル無線交換網１へ着呼した場合に発呼元へ送付される画面の例であるが、ローカル無線交換網間を接続して構築した全社構内交換網の場合、全社に散らばった各グループのローカル無線交換網間は、グループ認証のプロトコル手段（図示せず）による識別、もしくはＩＰアドレスから同じネットワーク上に在るシステムか否かを判断する手段によるグループの識別、又は単純に電話番号による識別など、各種の手段により発呼元が社内外いずれであるか区別することが可能である。
【００９６】
更に、社外であっても発呼者が着呼側の部署の家族である場合や、社内であっても情報の漏洩を避けるべき部署もあり得る。このように、着呼側のローカル無線交換網基地局は、発呼元の属性を各種手段により判断し、数段階の情報開示レベルを決定する。
【００９７】
以下は、社内と社外という２段階の情報開示レベルと、そのレベルに応じて２種類のインデックス画面が用意されている場合における例である。
【００９８】
発呼元の無線電話機１１が属する第二のローカル無線交換網１０が、第一のローカル無線交換網１と同じ社内ＩＰネットワークに接続しており、第一のローカル無線交換網基地局２が発呼元の所属を社内と判断した場合、無線電話機１１へ送信するインデックス画面のファイルは、デフォルトで送信するよう設定されていた図３のインデックス画面から、社内対応である図４のインデックス画面例２へ切り換えられる。
【００９９】
図４のインデックス画面における最初のカテゴリの「電話の転送」７０では、インデックス画面の機能としては図３と同様であるが、図３において社外秘として避けられていた個人名により各行を表示してある。
【０１００】
次のカテゴリである「各種処理」７１では、社外には公開できないカメラ端末の画像を「一階ロビーカメラ映像」７２として社内への配信を可能としている。例えば社内の別の営業セクションからの発呼で、社屋の一階ロビーへ来社した顧客画像を確認するために「一階ロビーカメラ映像」７２の行が選択されれば、第一のローカル無線交換網基地局２は、図１のとおり、第一のローカル無線交換網１において内線の通信端末として無線区間のリンクが確立している無線ネットワークカメラ６へ呼を転送し、発呼元である外部の通信端末との間でデータ呼を確立する。
【０１０１】
無線ネットワークカメラ６は、ファイル転送プロトコル等の手段により、発呼元の通信端末からの要求に応じて撮影した静止画像等を、第一のローカル無線交換網基地局２を介して要求元への配信を行う。
【０１０２】
次に第四実施例として、発呼元の通信端末がブラウザ機能を有しておらず、インデックス画面のファイルを表示できない場合の対応について説明する。例えば、第二実施例で説明した手順において、無線電話機１１がブラウザ機能を有していない通信端末であるとした場合、無線電話機１１はあらかじめ第二のローカル無線交換網１０内で、ブラウザ機能を有した別の通信端末の内線電話番号をインデックス画面の転送やデータ通信に係わる、連携通信端末として、無線電話機１１に関連付けて登録しているとする。
【０１０３】
無線電話機１１がブラウザ機能を有していた場合である図７のシーケンスにおいては、無線電話機１１が接続２０５を受信した後に、ＨＴＴＰプロトコルを適用する第一のローカル無線交換網基地局２と無線電話機１１とのコネクションを確立するため、第二のローカル無線交換網基地局９が有する中継機能（図示せず）は、ＩＰネットワーク７と第二のローカル無線交換網１０内の無線通信手段とのデータ中継を無線電話機１１へ向けて行っていた。
【０１０４】
しかし、第二実施例と同様に、無線電話機１１のユーザ２１が、ユーザ２０が有する通信端末へ発呼を行うとした場合、無線電話機１１がパーソナルコンピュータ１３を連携通信端末として登録してあるとすれば、
図７のシーケンスにおいて、第二のローカル無線交換網基地局９は、無線電話機１１が接続２０５を受信した後に、ＨＴＴＰプロトコルを適用する第一のローカル無線交換網基地局２とのコネクションを確立するため、第二のローカル無線交換網基地局９が有する中継機能（図示せず）は、ＩＰネットワーク７と第二のローカル無線交換網１０内の無線通信手段とのデータ中継をパーソナルコンピュータ１３へ向けて行っていた。
【０１０５】
ＨＴＴＰプロトコル適用後に、パーソナルコンピュータ１３の転送要求により、第二のローカル無線交換網基地局９からパーソナルコンピュータ１３へ向けてインデックス画面を構成するファイルの転送が行われ、パーソナルコンピュータ１３のブラウザ機能にインデックス画面が表示される。
【０１０６】
ユーザ２１がパーソナルコンピュータ１３のブラウザに表示されたインデックス画面からリンク先を選択した後のシーケンスは図７における第一のローカル無線交換網基地局２が内線番号変換２５４を起動するシーケンス以降、無線電話機１１と無線電話機３との間の通話呼が確立するまで同様である。すなわち、ブラウザ機能を有していない場合の無線電話機１１のユーザ２１にしてみれば、第一のローカル無線交換網１の代表電話番号へ発呼することで、登録どおり通常使用しているパーソナルコンピュータ１３のブラウザが第一のローカル無線交換網１のインデックス画面画面を表示することを意味する。
【０１０７】
このように、パーソナルコンピュータのブラウザを使用するということは、無線電話機等の小さな画面でインデックス画面を操作するよりも操作性が良いため、頻繁に通話を行う業務においては、無線電話機１１や有線固定電話機１４などの通信端末がデータ通信に対応してブラウザ機能を有していたとしても、常時、パーソナルコンピュータを連携通信端末として使用すればよい。
【０１０８】
また、無線電話機１１が連携通信端末として登録するのは第二のローカル無線交換網１０内の通信端末である必要はなく、第二のローカル無線交換網基地局９が直接、あるいは間接的に通信できる端末であるなら、どのネットワークに所属する端末でも構わない。
【０１０９】
これまでは、インデックス画面を構成するファイルを転送する、着呼側のローカル無線交換網基地局と、発呼側のローカル無線交換網内に属する通信端末とのコネクションを確立するために、発呼側のローカル無線交換網基地局がローカル無線交換網内へデータの中継を行う場合を説明した。
【０１１０】
しかし、ＩＰネットワーク上のコネクションが確立し、ＨＴＴＰなどのプロトコル手段が適用できればよいため、ローカル無線交換網に属していない通信端末からローカル無線交換網内の通信端末を通話呼だけでなく、データ通信に関わるアクセスに利用することも可能である。
【０１１１】
この場合、これまでの説明とは逆に、通話呼の確立後、発呼元の基地局である第一のローカル無線交換網基地局２が、着呼先である無線電話機１１もしくは連携通信端末からの要求に応じ、第一のローカル無線交換網１内の通信端末へのリンク先を記載した、アクセス選択に関するインデックス画面のファイルを指定先へ送信することを特徴としている。
【０１１２】
本例で着呼側となる無線電話機１１のユーザ２１は、通常、パーソナルコンピュータ１５を使用しているものとする。
【０１１３】
パーソナルコンピュータ１５は、ＩＰネットワーク７に直接接続しており、どのローカル無線交換網にも属さないため、ネットワーク交換システム上の回線交換プロトコルに則る必要がないために、パーソナルコンピュータ１５と発呼元の第一のローカル無線交換網基地局２との間は、ＴＣＰ／ＩＰなど通常のＬＡＮを介したコネクションが確立する。
【０１１４】
さらに、第一のローカル無線交換網基地局２はＷｅｂサーバー機能を有しており、無線電話機３と無線電話機１１との通話呼が確立した後、ユーザ２１がパーソナルコンピュータ１５のブラウザへ第一のローカル無線交換網基地局２のＷｅｂサーバー機能へのＵＲＬを入力するか、又はブックマークファイルから同ＵＲＬを選択することで、ＨＴＴＰプロトコルにより第一のローカル無線交換網基地局２へアクセス選択に関するインデックス画面のファイルを要求する。
【０１１５】
要求を受けた第一のローカル無線交換網基地局２は、ＨＴＴＰプロトコル等に則り、アクセス選択に関するインデックス画面のファイル一式をパーソナルコンピュータ１５へ送信する。
【０１１６】
ユーザ２１が要求したアクセス選択に関するインデックス画面のファイルは、パーソナルコンピュータ１５のブラウザ機能により即座に表示される。
【０１１７】
ユーザ２１が、アクセス選択に関するインデックス画面上に記載の、第一のローカル無線交換網１内の通信端末をアクセスするリンク先を選択すると、その結果は、パーソナルコンピュータ１５から第一のローカル無線交換網基地局２へＨＴＴＰプロトコル等の手段により通知される。
【０１１８】
なお、このときに第一のローカル無線交換網基地局２は、アクセス選択に関するインデックス画面に登録された通信端末毎のリンクに関して、もしくはアクセス選択に関するインデックス画面そのものへの要求に関してパスワードの入力などで認証を行ってもよい。
【０１１９】
この様に、上述した第一実施例から第四実施例までの説明では、着呼時に基地局が預かった呼の転送先を選択するために、着呼転送先選択に関するインデックス画面を利用するとしていたが、本実施例では、ローカル無線交換網内の通信端末を自由にアクセスするための、アクセスに関するインデックス画面として利用することで、通話やデータ通信などのアプリケーションをマルチコネクションで提供するサービスも実現できる。また、このことはローカル無線交換網内に属する通信端末が前記のアクセスに関するインデックス画面を要求し、同じローカル無線交換網内の通信端末をアクセスしてもよい。
【０１２０】
【発明の効果】
以上説明したように、従来はローカル無線交換網を単位に構築されたネットワーク交換システムにおいて、ローカル無線交換網外部からの着呼に対して優先着呼する通信端末を使用するオペレータが応答し、マニュアル操作で取り次ぎを行っていたが、本発明によれば、ローカル無線交換網基地局内にＣｏｍｐａｃｔ−ＨＴＭＬ言語やＪａｖａ（登録商標）言語等で記述されたインデックス画面を有し、この画面を発呼元へ送信することで自動応答とし、発呼元のユーザへ通話先の選択を委ね、この結果を受けて自動転送することで、オペレータ業務が省力化できるという効果を奏する。
【０１２２】
また、本発明によれば、着呼側のローカル無線交換網が、発呼側のローカル無線交換網や通信端末の属性を判断する認証プロトコルなどの各種手段により、情報開示レベルを判断し、情報開示レベルに応じて用意されたインデックス画面を発呼元へ送信する。これにより、高い情報開示レベルの発呼者には、高いレベルに応じた詳細なインデックス画面を開示し、低い情報開示レベルの発呼者には、低いレベルに応じた簡素なインデックス画面を開示することで、社外秘に相当する通信端末へのアクセスと情報の漏洩とを防ぐ効果がある。
【図面の簡単な説明】
【図１】本発明のネットワーク交換システム全体の構成図である。
【図２】制御サーバー８が、ネットワーク交換システム上の電話番号とＩＰアドレスとを対比させるリストである。
【図３】ローカル無線交換網が社外からの着呼を受けた応答として、発呼元へ送信したインデックス画面の一例である。
【図４】ローカル無線交換網が社内からの着呼を受けた応答として、発呼元へ送信したインデックス画面の一例である。
【図５】ネットワーク交換システムにおける、従来の通話呼接続の流れを示すシーケンスチャートである。
【図６】ネットワーク交換システムにおける、本発明を適用した通話呼接続の流れを示すシーケンスチャートである。
【図７】発呼元の通信端末がインデックス画面から呼の転送先を選択し、着呼先のローカル無線交換網内で目的の通信端末へ呼を転送する流れを示すシーケンスチャートである。
【符号の説明】
１    第一のローカル無線交換網
２    第一のローカル無線交換網基地局
３〜５、１１〜１２    無線電話機
６    無線ネットワークカメラ
７    ＩＰネットワーク
８    制御サーバー
９    第二のローカル無線交換網基地局
１０    第二のローカル無線交換網
１３    パーソナルコンピュータ
１４    有線固定電話機
２０〜２２    ユーザ
【図１】
0003804501.tif 000002
【図２】
0003804501.tif 000003
【図３】
0003804501.tif 000004
【図４】
0003804501.tif 000005
【図５】
0003804501.tif 000006
【図６】
0003804501.tif 000007
【図７】
0003804501.tif 000008